(57)【要約】【課題】  本発明は、電子レンジ加熱時に、外装箱の外面に食品などが噴き零れることを防止でき、更に、包装袋が外装箱から脱落しないように電子レンジに出し入れすることができる電子レンジ加熱用包装体を提供することを課題とする。【解決手段】  内容物が密封状に封入され、且つ電子レンジ加熱によって自動的に開口する自動通蒸部５が設けられた包装袋２と、包装袋２を収納する外装箱３と、を備え、外装箱３には、孔部６が形成されていると共に、この孔部６を覆う被覆部材７が取外し可能に設けられている電子レンジ加熱用包装体。【選択図】  図１
2007091276.tif 000002
【特許請求の範囲】
【請求項１】
内容物が密封状に封入され、且つ電子レンジ加熱によって自動的に開口する自動通蒸部が設けられた包装袋と、包装袋を収納する外装箱と、を備え、
外装箱には、孔部が形成されていると共に、この孔部を覆う被覆部材が取外し可能に設けられていることを特徴とする電子レンジ加熱用包装体。
【請求項２】
内容物が密封状に封入され、且つ電子レンジ加熱によって自動的に開口する自動通蒸部が設けられた包装袋と、包装袋を収納する外装箱と、を備え、
外装箱には、孔部形成用切込線が形成されていると共に、この孔部形成用切込線を覆う被覆部材が取外し可能に設けられており、被覆部材を取り外すことにより、孔部形成用切込線で囲われた領域が切り取られて孔部が形成されることを特徴とする電子レンジ加熱用包装体。
【請求項３】
内容物が密封状に封入され、且つ電子レンジ加熱によって自動的に開口する自動通蒸部が設けられた包装袋と、包装袋を収納する外装箱と、を備え、
外装箱には、孔部が形成されていると共に、この孔部を覆う熱収縮性フィルムが設けられていることを特徴とする電子レンジ加熱用包装体。
【発明の詳細な説明】
【技術分野】
【０００１】
本発明は、食品などが封入された包装袋を有し、家庭用電子レンジなどで加熱される電子レンジ加熱用包装体に関する。
【背景技術】
【０００２】
従来より、レトルト食品などの内容物を可撓性のあるフィルム袋に密封状に封入した包装袋（所謂パウチ）が広く用いられている。かかる包装袋に充填された食品等を食する際には、包装袋をお湯に入れることで食品等を暖めていたが、近年、家庭用電子レンジに包装袋を入れ、マイクロ波を利用して食品等を加熱することが行われている。
しかしながら、電子レンジで加熱すると、包装袋の内圧が上昇して袋が破裂する虞があるため、自動的に蒸気を逃して内圧を下げる様々な手段が提案されている。
【０００３】
例えば、特開平９−２５５０５０号公報には、マイクロ波の照射によって発熱しフィルムの一部を溶融させて透孔を形成させる導電性材料を付着した電子レンジ調理用食品の包装体が開示され、かかる包装体は、マイクロ波照射によって導電性材料が発熱し、フィルムの一部に透孔が自動的に形成されることで包装体の内圧を下げるものである。
また、特開平９−１４２５４１号公報には、強い接着性を有する高接着部分と、電子レンジにて食品を加熱した際の水蒸気圧によって開封されるように接着性の弱い低接着部分と、を有するようにフィルムシール部の接着強度を異ならせた電子レンジ加熱用食品の収容袋が開示され、かかる収容袋は、電子レンジ加熱時に生じる蒸気によって、低接着部分が自動的に剥離して収容袋の内圧を下げるものである。
さらに、特開２００２−５３１８３号公報には、少なくとも片面がヒートシール層から構成される複合フィルムを用い、ウィング部の両シーラント層の間にイージーピール性フィルムを介在させた電子レンジ用包装袋が開示されており、かかる包装袋は、電子レンジ加熱時に生じる蒸気によって、ウイング部が立ち上がり且つイージーピール性フィルムが自動的に剥離して包装袋の内圧を下げるものである。
【０００４】
上記何れの手段も、電子レンジ処理時のマイクロ波又は電子レンジ処理時に生じる熱を利用して、包装袋の一部に蒸気を逃がす通蒸部を自動的に形成することができるように工夫されたものである。
【０００５】
ところで、上記のような電子レンジ処理時に自動的に開口する通蒸部を有するような包装袋を、更に、外装箱内に収納した電子レンジ加熱包装体も知られている。
例えば、特許第３５６０８６２号公報には、扁平袋状にして上面に逃圧用部を有する電子レンジ加熱包装袋と、扁平箱形の外装用箱とを備え、内圧を利用して剥離開口させる弱シール部又は脆弱部を有する背貼り部が上記逃圧用部として設けられ、外装用箱の上面に、背貼り部を外部に露出させるための切離開封部が設けられている電子レンジ加熱包装体が開示されている。
かかる電子レンジ加熱包装体は、同公報の図２及び図７などに示すように、切離開封部を外装用箱から切り離すことにより外装用箱を開口し、この開口から背貼り部を外部に露出させた状態で、電子レンジ加熱に供される。そして、電子レンジ加熱中、包装袋の内圧が上昇し、背貼り部の弱シール部又は脆弱部が自動的に剥離して、その開口部分から蒸気を逃がすことができるものである。
【０００６】
しかしながら、上記特許第３５６０８６２号公報記載の電子レンジ加熱包装体は、開口した外装用箱から背貼り部を露出させた状態で電子レンジ加熱するので、内容物の種類や量によっては、該背貼り部から食品等が噴き零れることによって外装用箱の外面や電子レンジ内が汚れることがある。このように外装用箱の外面に食品などが噴き零れると、加熱後の包装体を電子レンジから取り出す際に、噴き零れた食品等が持ち手に付着することがある。
さらに、上記電子レンジ加熱包装体は、外装用箱の切離開封部を切り離して外装用箱を開口するので、該包装体を電子レンジに出し入れする際に、誤って包装袋が外装用箱から抜け出る虞がある。特に、加熱後に於いては、外装用箱も熱くなっている上、上記噴き零れ食品等に触れないように持つため、外装用箱を十分に把持せずに取り出すことも多く、外装用箱が傾くなどして包装箱がすり落ちることがある。
【０００７】
【特許文献１】特開平９−２５５０５０号公報
【特許文献２】特開平９−１４２５４１号公報
【特許文献３】特開２００２−５３１８３号公報
【特許文献４】特許第３５６０８６２号公報
【発明の開示】
【発明が解決しようとする課題】
【０００８】
そこで、本発明は、電子レンジ加熱時に、外装箱の外面に食品などが噴き零れることを防止でき、更に、包装袋が外装箱から脱落しないように電子レンジに出し入れすることができる電子レンジ加熱用包装体を提供することを課題とする。
【課題を解決するための手段】
【０００９】
本発明の第１の手段は、内容物が密封状に封入され、且つ電子レンジ加熱によって自動的に開口する自動通蒸部が設けられた包装袋と、包装袋を収納する外装箱と、を備え、外装箱には、孔部が形成されていると共に、この孔部を覆う被覆部材が取外し可能に設けられている電子レンジ加熱用包装体を提供する。
【００１０】
上記電子レンジ加熱用包装体は、被覆部材を取り外して孔部を開放した後、電子レンジ内に入れて加熱すると、包装袋の自動通蒸部が自動的に開口し、そこから蒸気が排出され、包装袋が破裂することを防止できる。自動通蒸部から排出された蒸気は、外装箱に形成された孔部を通じて外装箱の外部へと排出される。
上記包装体は、包装袋の自動通蒸部を外装箱の外部に露出させないで電子レンジ加熱できるため、包装袋の自動通蒸部から零れ出る食品等の内容物が、外装箱の外面に付着することを防止できる。
また、上記包装体は、外装箱を開口しないので、包装体を電子レンジに出し入れする際に、包装袋が外装箱から脱落することもない。
【００１１】
さらに、本発明の第２の手段は、内容物が密封状に封入され、且つ電子レンジ加熱によって自動的に開口する自動通蒸部が設けられた包装袋と、包装袋を収納する外装箱と、を備え、外装箱には、孔部形成用切込線が形成されていると共に、この孔部形成用切込線を覆う被覆部材が取外し可能に設けられており、被覆部材を取り外すことにより、孔部形成用切込線で囲われた領域が切り取られて孔部が形成される電子レンジ加熱用包装体を提供する。
【００１２】
上記第２の手段に係る電子レンジ加熱用包装体は、被覆部材を取り外すことにより、孔部形成用切込線で囲われた領域が切り取られ、外装箱に孔部が形成される。この包装体を電子レンジ内に入れて加熱すると、包装袋の自動通蒸部が自動的に開口し、そこから蒸気が排出され、包装袋が破裂することを防止できる。自動通蒸部から排出された蒸気は、外装箱に形成された孔部を通じて外装箱の外部へと排出される。
第２の手段に係る包装体も同様に、包装袋の自動通蒸部を外装箱の外部に露出させないで電子レンジ加熱できるため、内容物が外装箱の外面に付着することを防止でき、又、包装体を電子レンジに出し入れする際に、包装袋が外装箱から脱落することもない。
【００１３】
また、本発明の第３の手段は、内容物が密封状に封入され、且つ電子レンジ加熱によって自動的に開口する自動通蒸部が設けられた包装袋と、包装袋を収納する外装箱と、を備え、外装箱には、孔部が形成されていると共に、この孔部を覆う熱収縮性フィルムが設けられている電子レンジ加熱用包装体を提供する。
【００１４】
上記第３の手段に係る電子レンジ加熱用包装体は、そのまま電子レンジ内に入れて加熱することができる。すなわち、該包装体を電子レンジ内に入れて加熱すると、包装袋の自動通蒸部が自動的に開口し、そこから蒸気が排出され、この蒸気が外装箱の内面側から、外装箱に設けられた熱収縮性フィルムに作用して、該フィルムが熱収縮する。これによりフィルムの一部分が外装箱から外れて、孔部を開放し、自動通蒸部から排出された蒸気は、開放された孔部を通じて外装箱の外部へと排出される。
第３の手段に係る包装体も同様に、包装袋の自動通蒸部を外装箱の外部に露出させないで電子レンジ加熱できるため、内容物が外装箱の外面に付着することを防止でき、又、包装体を電子レンジに出し入れする際に、包装袋が外装箱から脱落することもない。
【発明の効果】
【００１５】
本発明に係る電子レンジ加熱用包装体は、電子レンジ加熱時に、自動通蒸部が自動的に開口して包装袋の内圧を下げるので、包装袋の破裂を防止できる。かかる包装体は、この包装袋の自動通蒸部を外装箱の外部に露出させないで電子レンジ加熱することも可能であるため、外装箱の外面に食品などの内容物が噴き零れることを防止できる。
さらに、本発明の包装体は、外装箱を開口しないで電子レンジ加熱することも可能であるため、包装体を電子レンジに出し入れする際、包装袋が外装箱から脱落する虞がない。
【発明を実施するための最良の形態】
【００１６】
以下、本発明について、図面を参照しつつ具体的に説明する。
（第１実施形態）
図１に於いて、１は、内部に食品などの内容物が密封状に封入され、且つ自動通蒸部５が設けられた包装袋２と、該包装袋２を収納する外装箱３と、を備えた電子レンジ加熱用包装体１を示す。
この外装箱３には、図２にも示すように、包装袋２の自動通蒸部５から出る蒸気を外装箱３の外部へと逃がすための孔部６が形成されている。この孔部６は包装袋２の自動通蒸部５に対応する位置に形成されており、外装箱３の内部に包装袋２が収納されている。また、外装箱３の外面には、前記孔部６を覆うラベル７（被覆部材に相当する）が取外し可能に設けられている。
【００１７】
具体的には、包装袋２は、図３にも示すように、柔軟なフィルムの周端部を熱シールすることにより、内部に収納部が形成された袋本体４と、この袋本体４に設けられ、且つ電子レンジ加熱によって自動的に開口する自動通蒸部５と、を備えている。
袋本体４は、例えば、表面部４１、裏面部４２及び底面ガセット部４３を構成する３枚の可撓性フィルム片からなり、この表裏面部４１，４２下方の間に底面ガセット部４３を折り畳んで介装し、表裏面部４１，４２の周端部及び底面ガセット部４３の周端部の内面を熱シール接着することにより、自立可能な密封袋状に形成されている（所謂スタンディングパウチ）。
袋本体４の正面形状（表裏面部４１，４２）は、自立安定性の観点から、上方に向かうに従い幅狭となる正面略台形状に形成されている。
尚、袋本体４は、３枚のフィルム片から構成されているが、例えば、１枚のフィルム片によって表裏面部４１，４２及び底面ガセット部４３が構成されていてもよく、又、２枚のフィルム片にて構成されていてもよい。
【００１８】
表裏面部４１，４２及び底面ガセット部４３を構成するフィルムは、電子レンジ加熱に耐えうる耐熱性を有し、且つ内面が熱シール可能なものであれば特に限定されず、例えば、耐熱性を有する外層フィルムに、熱シール性を有する内層フィルムが積層された積層フィルムを用いることができ、更にガスバリア性又は／及び遮光性を備える積層フィルムを用いることが好ましい。
外層フィルムとしては、例えば、ポリエチレンテレフタレートなどのポリエステル系フィルム、ポリプロピレン、ナイロンなどのポリアミド系フィルムなどの単層フィルム、及び２種以上の積層体などを用いることができ、更に、合成樹脂製フィルムの場合は延伸フィルムを用いることが好ましい。外層フィルムの厚みは、例えば、１０〜５０μｍ程度である。
内層フィルムとしては、例えば、高密度ポリエチレン、直鎖状低密度ポリエチレンなどのポリエチレン、ポリプロピレン、エチレン−酢酸ビニル共重合体などを用いることができる。内層フィルムの厚みは、例えば、２０〜１００μｍ程度である。
尚、外層フィルムの内面（又は外面）には、絵柄、商標、説明書きなどの意匠印刷が必要に応じて施されている。
【００１９】
さらに、上記袋本体４の上端部に、自動通蒸部５が設けられている。
具体的には、表面部４１の上端部内面と裏面部４２の上端部内面を熱シールすることで形成される袋本体４の上端シール部は、その一部分（例えば幅方向略中央部）が他の部分よりも弱く熱シールされている。この弱い熱シールは、電子レンジ加熱時に袋本体４内の内圧上昇によって弱シール部分が剥離する、又は電子レンジ加熱時に生じる熱によって弱シール部分が溶融するなどの接着強度でシールされている。弱シール部分は、例えば、シール温度や圧力の調整、シール強度を弱くする薄片やコーティング層を介在させて熱シールするなどによって形成することができる。この弱く熱シールされた部分が、電子レンジ加熱時に自動的に開口する自動通蒸部５に相当する。
図１（ｃ）及び図３に於いて、便宜上、弱く熱シールされた部分（自動通蒸部５）を薄墨塗りで、電子レンジ加熱時に層間剥離しないように強く熱シールされた周端部を網掛けで示している。
【００２０】
尚、袋本体４に収納される内容物としては、例えば、カレー、シチュー、スープ、みそ汁、丼の具、おでんなどの各種の食品などが挙げられる。
【００２１】
外装箱３は、例えば、厚紙、合成樹脂シートなどの剛性のあるシートを折り曲げて組み立てた組立箱から構成されている。例えば、外装箱３を厚紙で形成する場合、厚み０．５〜１．５ｍｍ程度の厚紙を用いることができる。
外装箱３の形状は、内部に包装袋２を収納可能で且つ底面部３１を下にして自立可能に形成されていれば特に限定されない。本実施形態では、例えば、略矩形状の底面部３１及び底面部３１よりも小面積の略矩形状の上面部３２と、略台形状の表裏面部３３，３３及び表裏面部３３よりも小面積の略台形状の両側面部３４，３４を有する六面体に形成されている。このように底面部３１が上面部３２に対して大面積に形成することにより、自立安定性に優れ、又、外装箱３の底面部３１を下にして電子レンジのテーブル上に載せることを、外装箱３の形状を以て消費者に理解させることができる。
外装箱３の大きさは、内容物が密封された包装袋２の体積よりも大きく形成されていることが好ましい。例えば、外装箱３の大きさは、内容物が密封された包装袋２、特に袋本体４の表裏面部４１，４２が外装箱３の内面に密着しないように、外装箱３の内面と袋本体４の表裏面部４１，４２との間に空隙が確保されている。このように外装箱３に空隙を設けることにより、電子レンジ加熱時に於ける包装袋２の膨張スペースを確保することができる。
【００２２】
この外装箱３の上方側には、孔部６が穿設されている。この孔部６は、自動通蒸部５から出る蒸気を外装箱３の外部に逃がすためのものである。この孔部６は、外装箱３の上面部３２の角部３５（上面部３２と表裏面部３３等が交わる稜線部）に跨って形成することもできるが、電子レンジ加熱時の蒸気によって外装箱３の強度が低下する虞があるため、孔部６は、外装箱３の面部（例えば上面部３２）に形成されていることが好ましい。
孔部６の大きさは、自動通蒸部５が、孔部６を通じて外装箱３の外部に露出（又は突出）しない程度の大きさに形成されている。
孔部６の正面形状は、特に限定されず、略円形状、略四角形状、略三角形状などの適宜な形状に形成できる。１つの孔部６の開口面積は、例えば、略円形状の孔部６の場合、直径１〜１０ｍｍ程度、好ましくは、５ｍｍ〜１０ｍｍ程度に形成される。孔部６の数も特に限定されず、１個でも良いが、複数個形成されていることが好ましく、又、図示したように複数個が所定範囲に密集して形成されていることが好ましい。
さらに、外装箱３の外面には、孔部６（複数形成されている場合には、全ての孔部６）を覆うように、被覆部材として粘着性のラベル７が貼着されている。この粘着ラベル７は、紙、合成樹脂フィルム、合成紙などの公知の基材の裏面に、感圧型粘着剤などが塗工された所謂タックラベルであり、手で剥離することができる程度の粘着強度を有するラベルである。
【００２３】
また、外装箱３には、外装箱３を分断して包装袋２の取出し口を形成するため、分断補助線３６が形成されている。分断補助線３６としては、ミシン目、ハーフカット線、テアテープなどが例示され、該分断補助線３６は、例えば、外装箱３の中途部に於いて、外装箱３の周方向に形成されている。ミシン目やハーフカット線を用いる場合には、図１（ａ）に示すように、例えば、外装箱３の一面に指によって押し抜き可能な摘み部３７を刻設しておくことが好ましい。もっとも、このような分断補助線３６や摘み部３７を形成しない外装箱３を用いることもできる。
【００２４】
そして、外装箱３の孔部６を、包装袋２の自動通蒸部５に対応するように位置させ、外装箱３内に包装袋２が自立状態で収納されている。このように包装袋２を外装箱３に収納することにより、電子レンジ加熱時に自動通蒸部５から出る蒸気が、孔部６を通じて外装箱３の外部へと排出される。
尚、孔部６が自動通蒸部５に対応する位置とは、孔部６と自動通蒸部５（蒸気が出る開口予定部分）が、ピンポイント的に対応している状態を含む他、孔部６が自動通蒸部５の近傍に位置している状態を含む意味である。
【００２５】
次に、上記電子レンジ加熱用包装体１の使用例について説明する。
先ず、外装箱３に貼着されたラベル７を引き剥がして孔部６を開放した後、包装体１を電子レンジ内に入れ、マイクロ波を照射する。マイクロ波照射によって内容物が加熱され、袋本体４の内圧が上昇又は袋本体４の温度が上がると、自動通蒸部５が自動的に開口し、そこから蒸気が排出される。これにより、包装袋２の内圧が下がり、包装袋２が破裂することを防止できる。自動通蒸部５から排出された蒸気は、孔部６を通じて外装箱３の外部へと排出される。そして、電子レンジ加熱を所定時間行った後、包装体１を電子レンジから取り出し、外装箱３の分断補助線３６を利用して外装箱３の取出し口を開口することにより、加熱された包装袋２を取り出すことができる。
【００２６】
本発明に係る電子レンジ加熱用包装体１によれば、包装袋２の自動通蒸部５を外装箱３の外部に露出させないで加熱できるため、包装袋２の自動通蒸部５から零れ出る食品等が、外装箱３の外面に付着したり、電子レンジ内を汚すことを防止できる。
また、上記包装体１は、外装箱３の包装袋取出し口を開口しないで電子レンジ加熱に供することができるので、包装体１を電子レンジに出し入れする際に、誤って包装袋２が外装箱３から落ちる虞がない。
尚、上記包装体１は、ラベル７を引き剥がす作業を行うだけで電子レンジ加熱できるので、加熱する前の準備作業が少なくて済むという利点もある。
【００２７】
（第２実施形態）
第２実施形態は、孔部を覆う被覆部材が、外装箱を構成するシート片から構成されている電子レンジ加熱用包装体に関する。以下、主として上記実施形態と異なる部分を説明し、同様の構成については、明細書及び図面に於いて、用語及び図番を援用し、その説明を省略することがある（この点、下記第３〜第５実施形態についても同様）。
【００２８】
図４に示すように、外装箱３を構成する各面部のうち、少なくとも孔部６が形成される面部は、孔部６の形成されたシート片３２１とこれを覆うシート片３２２とを備えている。
具体的には、例えば、外装箱３の上面部３２に孔部６を形成する場合を例に採ると、剛性のあるシートを組み立てた外装箱３の上面部３２は、２枚のシート片３２１，３２２を上下に重ね合わせることによって形成されている。
【００２９】
このうち下方のシート片３２１は、外装箱３の表面部３３から一体的に延設されており、外装箱３の上面開口を閉塞するように、折り目を介して外装箱３の裏面部３３へ折り曲げられていると共に、下方のシート片３２１の先端部３２１ａが該裏面部３３に接着されている。
この下方のシート片３２１には、孔部６が穿設されている。この孔部６（複数形成を含む）は、例えば、下方のシート片３２１の略中央部に設けられている。
一方、上方のシート片３２２は、外装箱３の裏面部３３から一体的に延設されており、少なくとも孔部６を覆うように、折り目を介して下方のシート片３２１上に折り曲げられて重ね合わされている。上方のシート片３２２は、孔部６が形成された領域以外の領域に於いて、下方のシート片３２１と接着されている（例えば、上方のシート片３２２の先端部３２２ａ。図４（ａ）に於いて接着部分を網掛けで示す）。
この上方のシート片３２２には、上方のシート片３２２を分断するための分断補助線３２３が形成されている。分断補助線３２３としては、ミシン目、ハーフカット線、テアテープなどが例示される。この分断補助線３２３は、２本形成することが好ましく、特に、２本の分断補助線３２３に沿って切り取ることで、下方のシート片３２１の孔部６が開放されるように形成されていることが好ましい。
【００３０】
本実施形態の包装体１は、電子レンジ加熱する際、上方のシート片３２２の一部を分断補助線３２３を利用して切り取る、又は上方のシート片３２２を剥離することにより、孔部６が開放される。事後、上記と同様にして電子レンジ加熱に供され、外装箱３の外面への内容物の零れ防止や、包装袋２の脱落防止等を図ることができる。
【００３１】
（第３実施形態）
本実施形態は、被覆部材を取り外すことにより、外装箱に孔部が形成される電子レンジ加熱用包装体に関する。
図５に示すように、外装箱３には、孔部形成用の切込線６１が形成され、この切込線６１を覆うように被覆部材が設けられている。
【００３２】
この孔部形成用切込線６１としては、例えば、同図（ａ）に示すように、略半円弧状の２本の切込線６３を対向形成し、該２本の切込線６３の両端部の間に未切断部６４を形成した態様、同図（ｂ）に示すように、ミシン目６５（細長い切断部６５ａが断続的に繋がったもの）を無端状（例えば円弧状）に刻設した態様などが挙げられる。
そして、外装箱３の外面には、被覆部材として、例えば第１実施形態で示したような粘着ラベル７が、孔部形成用切込線６１を覆うように剥離可能に貼着されている。
【００３３】
本実施形態に係る包装体１は、電子レンジ加熱する際、粘着ラベル７を剥離することにより、切込線６１で囲われた領域６２がラベル７に接着したままラベル７と共に取り除かれ、その結果、外装箱３に孔部６が形成される。事後、上記と同様にして電子レンジ加熱に供される。
上記実施形態のように、外装箱３に予め孔部６を穿設する場合には、外装箱３の製造時、穿設した孔部６の抜き滓が生じる。この点、本実施形態のように、孔部形成用切込線６１を形成する構成によれば、外装箱３の製造時には孔部６の抜き滓が生じないという利点がある。
【００３４】
尚、本実施形態に於いて、被覆部材として、粘着ラベル７が用いられているが、例えば、上記第２実施形態で示したように、外装箱３の面部を構成するシート片を、被覆部材として用いることもできる。
この場合、例えば、図６に示すように、外装箱３の面部３２を構成する下方のシート片３２１に、孔部形成用切込線６１を形成し、この上に上方のシート片３２２を重ね合わせると共に、孔部形成用切込線６１で囲われた領域６２と上方のシート片３２２の裏面を接着する。
このように上方のシート片３２２を、下方のシート片３２１のうち孔部形成用切込線６１で囲われた領域６２に接着することにより、上方のシート片３２２を引き剥がすと、これと共に領域６２が切り取られ、外装箱３に孔部６が形成される。
【００３５】
（第４実施形態）
本実施形態は、被覆部材を取り外さなくても電子レンジ加熱に供することができる電子レンジ加熱用包装体に関する。
図７に示すように、本実施形態では、外装箱３の外面又は内面の少なくとも何れか一方に、外装箱３に形成された孔部６を覆うように熱収縮性フィルム７（被覆部材に相当する）が設けられている。
【００３６】
熱収縮性フィルム７としては、例えば、図７（ａ）に示すように、１軸方向又は２軸方向に熱収縮性を有する基材フィルム７１（例えば、１軸又は２軸延伸処理されたポリエチレンテレフタレートフィルムなど）の内面に、外装箱３に貼着するための粘着剤７２（好ましくは、蒸気を受けることによって粘着性が低下する粘着剤）が塗工されたものが挙げられる。かかる熱収縮性フィルム７は、電子レンジ加熱時に、熱収縮性の基材フィルム７１が熱収縮することで、同図二点鎖線で示すように、該フィルム７１が上方に湾曲する又は面方向に縮み、外装箱３の外面から自動的に剥がれ、これにより孔部６が開放される。
【００３７】
本実施形態に係る包装体１は、熱収縮性フィルム７で孔部６が閉塞された外装箱３を備えている。かかる包装体１は、電子レンジ加熱をする際、上記各実施形態のように、被覆部材を剥離しなくても、電子レンジ加熱時に包装袋２の自動通蒸部５から排出される蒸気熱によって該フィルム７が熱収縮する。このように熱収縮したフィルム７は、外装箱３から部分的に剥がれ、これにより孔部６が開放され、包装袋２から出る蒸気は、孔部６を通じて外装箱３の外部へと排出される。
かかる熱収縮性フィルム７を孔部６の被覆用に用いた包装体１は、そのまま電子レンジ加熱できるので、加熱する前の準備作業を行う必要がないので好ましい態様である。
【００３８】
尚、熱収縮性フィルム７の他の例として、例えば、図７（ｂ）に示すように、熱収縮性の基材フィルム７１の内面に、通気可能な通気基材７３（例えば不織布など）を剥離可能な程度の接着力を以て積層し、該通気基材７３の内面に、粘着剤７２を塗工したものが挙げられる。かかる熱収縮性フィルム７は、電子レンジ加熱時に、同図二点鎖線に示すように、熱収縮性の基材フィルム７１が熱収縮することで、該フィルム７１が通気基材７３から剥がれ、通気基材７３の一部又は全部が露出する。これにより孔部６を覆う通気基材７３の上面が開放され、孔部６から排出される蒸気は通気基材７３を通じて外装箱３の外部へと排出される。
【００３９】
さらに、熱収縮性のフィルム７の他の例として、上記熱収縮性の基材フィルム７１に無数の微細孔（例えば直径１ｍｍ以下程度）を穿設しておいてもよい。かかる熱収縮性フィルム７は、同様に粘着剤などを介して、孔部６を覆うように外装箱３に貼着され、電子レンジ加熱時に熱収縮性の基材フィルム７１が熱収縮することで、予め穿設された微細孔が拡張し、基材フィルム７１に比較的大きな拡張孔が形成される。このように微細孔の穿設された熱収縮性の基材フィルム７１を備えるフィルム７を用いれば、フィルム７が外装箱３から剥がれなくても、基材フィルム７１に形成された拡張孔を通じて、蒸気が外装箱３の外部へと排出される。
【００４０】
また、外装箱３に、孔部６を覆うように熱溶融しうるフィルムを被覆すると共に、この孔部６を覆う熱溶融性フィルムに、導電性材料を備える通蒸ラベルを貼着してもよい。該導電性材料を備える通蒸ラベルとしては、例えば特開２００５−２２４３８１に記載の通蒸ラベルなどを用いることができる。かかる通蒸ラベルは、スリット部の形成された導電体層を有するラベル基材を備え、粘着剤などを介して被貼付体に貼着可能に構成されているもので、マイクロ波照射によってスリット部等が発熱しフィルムの一部分を溶断するものである。孔部６が熱溶融性フィルムで覆われ且つ通蒸ラベルが貼着されているマイクロ波加熱用包装体１は、そのまま電子レンジ加熱に供され、マイクロ波照射時に、通蒸ラベルによって熱溶融性フィルムが溶融して孔部６が開放される。
【００４１】
（第５実施形態）
本実施形態は、包装袋の自動通蒸部などの他の部材の変形例を示す。
上記各実施形態では、自動通蒸部５は、包装袋２を構成するフィルム片の熱シール部の一部分を弱く熱シールすることにより形成されているが、自動通蒸部５は、電子レンジ加熱時に包装袋２の一部を自動的に開口して蒸気を逃がすようにできるものであれば、従来公知の手段を採用できる。
例えば、袋本体４を構成するフィルム片の熱シール部の一部分に、イージーピール性のフィルム（又はコーティング）を介在させてもよい。該イージーピール性フィルム等の介在部が自動通蒸部５となり、かかる袋本体４を備える包装袋２は、電子レンジ加熱時の内圧上昇により、このイージーピール性フィルム等の介在部が剥離して、包装袋２の一部が自動的に開口する。
【００４２】
また、他の例として、例えば、袋本体４を構成するフィルムの一部分に、アルミニウム、ニッケル、クロムなどの金属、合金又は金属酸化物などの導電性物質を含有する導電性材料を塗工してもよい。該導電性材料の塗工された部分が自動通蒸部５となり、かかる袋本体４を備える包装袋２は、電子レンジのマイクロ波照射によって導電性材料が発熱し、包装袋２のフィルムを部分的に溶断し、包装袋２の一部が自動的に開口される。
【００４３】
さらに、他の例として、導電性材料を備える通蒸ラベルを、袋本体４のフィルム片の外面に貼着してもよい。該導電性材料を備える通蒸ラベルとしては、例えば上記特開２００５−２２４３８１に記載の通蒸ラベルなどを用いることができる。かかる通蒸ラベルは、マイクロ波照射によって発熱しフィルムの一部分を溶断するもので、該通蒸ラベルの貼着部分が、自動通蒸部５となる。
【００４４】
また、袋本体４の一部分に従来公知の背貼り部を突出させ、この背貼り部に上記各種の自動通蒸部５を設けてもよい。
該背貼り部８を簡単に説明すると、図８に示すように、袋本体４の面部（例えば、表面部４１）を構成するフィルムを幅方向に分断し、分断線を境に分断された上下のフィルム部分８１，８１を外側へ延出させ、この延出フィルム部分８１，８１を合掌貼り状に重ね合わせ、この重ね合わせた延出フィルム部分８１，８１の外側周囲を熱シールすることにより形成されている。従って、背貼り部８は、袋本体４の面部から外側へ突出する小袋状の部分であって、上下の延出フィルム部分８１の内面同士が熱シールされた接着部８２と、同内面が熱シールされてない非接着部８３と、を備えており、非接着部８３は、袋本体４の収納部に連通している。
この背貼り部８の接着部８２の一部分を弱く接着（例えば弱く熱シール）したり、或いは、背貼り部８の非接着部８３の外面にマイクロ波によって発熱する導電性材料を塗布又は同様に発熱する通蒸ラベルを貼着するなどを行うことにより、背貼り部８に自動通蒸部５を設けることができる。
尚、図８では、上記のような袋本体４の表裏面部４１，４２を起立させた状態で自立可能な包装袋２（所謂スタンディングパウチ）に、背貼り部８を設けたものを例示している。かかる背貼り部８を設けた自立可能な包装袋２の場合には、外装箱３の表面部３３に孔部６（又は孔部形成用切込線６１）が形成される。
【００４５】
かかる背貼り部８を備える包装袋２は、電子レンジ加熱時、袋本体４の収納部から生じる蒸気が非接着部８３の間に入り込み、これによって非接着部８３の２枚の延出フィルム部分８１が膨張して離反する結果、背貼り部８の接着部８２に剥離作用が働く。従って、背貼り部８の接着部８２のうち、弱く接着された部分（自動通蒸部５）が、剥離し易くなるという利点がある。尚、このようにフィルムの層間剥離を利用した自動通蒸部５に於いては、袋本体４に背貼り部８を形成することが好ましいが、例えば、導電性材料を塗布又は通蒸ラベルを貼着する場合に於いても、背貼り部８を形成することが好ましい。すなわち、袋本体４の面部（例えば、表面部４１や裏面部４２など）に導電性材料を直接塗布又は通蒸ラベルを直接貼着すると、袋本体４に収納された内容物が零れ出る虞があるが。この点、背貼り部８の非接着部８３の外面に、自動通蒸部５として導電性材料を塗布又は通蒸ラベルを貼着等することにより、蒸気は、一旦、小袋状の背貼り部８内（非接着部８３間）に入り、非接着部８３に形成された自動通蒸部５を通じて外部に排出されるので、内容物が零れ難いという利点がある。
【００４６】
さらに、上記各実施形態では、袋本体４は、表裏面部４１，４２を起立させた状態で自立可能な態様に形成されているが、例えば、図９（ａ）に示すように、表裏面部４１，４２を構成する２枚のフィルム片の周端部を熱シールすることにより、袋本体４が略扁平状に形成されていてもよい。かかる略扁平状に形成された袋本体４は、裏面部４２を下にして載置されるため、表面部４１に自動通蒸部５の設けられた背貼り部８を形成することが好ましい。
かかる略扁平状の包装袋２を収納する外装箱３は、包装袋２の形状に応じて、図９（ｂ）に示すような略扁平箱形に形成され、収納される包装袋２の自動通蒸部５に対応する位置に孔部６が形成される。
【００４７】
また、上記各実施形態では、外装箱３は、平坦状の底面部３２に対向して平坦状の上面部３２を有する形状に形成されているが、例えば、図１０に示すように、平坦状の底面部３１に対向して円弧状又は三角状などの非平坦な上面部３２を有する形状に形成されていてもよい。
このように非平坦な上面部３２を有する外装箱３は、例えば該上面部３２に孔部６が形成され且つこれを覆うラベル７が貼着される。そして、かかる上記と同様に、外装箱３内に包装袋２が収納されて包装体１とされ、電子レンジ加熱に供される。上面部３２に孔部６が形成されている外装箱３に於いては、誤って該上面部３２を下にして電子レンジのテーブルに載置すると、内容物が該テーブル上に多量に零れ出る虞がある。この点、上記非平坦な上面部３２を有する外装箱３を用いると、外装箱３が上面部３２が非平坦であるため、上面部３２を下にして載置すると安定性に欠ける。従って、電子レンジ加熱する際、消費者が、勘違いして、包装箱３の上面部３２を下にして電子レンジのテーブル上に載置する虞がなく、テーブル上への内容物の噴き零れを防止できるので好ましい態様である。
【００４８】
さらに、上記のように外側へ膨らむような非平坦な上面部３２を有する外装箱３は、収納される包装袋２の上側に比較的大きな空隙が形成されるので、電子レンジ加熱時に於ける包装袋２の膨張スペースを十分に確保することができる。背貼り部８を設けた略扁平状の包装袋２は、背貼り部８を上側にして外装箱３内に収納されるが、外側へ膨らむ非平坦な上面部３２を有する外装箱３を用いることにより、電子レンジ加熱時に、背貼り部８の立ち上がりスペースを十分に確保できる。
【００４９】
また、上記各実施形態では、外装箱３の孔部６を包装袋２の自動通蒸部５に対応する位置に設けるものを例示したが、本発明はこれに限定されるものではなく、蒸気の排出に支障がなければ、外装箱３の孔部６を包装袋２の自動通蒸部５に対応しない位置に設けることも可能である。
外装箱３の孔部６を包装袋２の自動通蒸部５に対応しない位置に設ける場合、孔部６と自動通蒸部５を特定の位置関係（例えば、上記第１実施形態のようなスタンディングパウチに於いて、袋本体４の表面部４１上方に自動通蒸部５が形成されている場合に、外装箱３の上面部３２に孔部６を設ける態様など）にすることにより、仮に自動通蒸部５から食品等が噴き零れることがあっても、噴き零れた食品等が孔部６から外に出ずに外装箱３内に留まり、電子レンジ内の汚れを防止できる。
【図面の簡単な説明】
【００５０】
【図１】（ａ）は、本発明の一実施形態に係る電子レンジ加熱用包装体の斜視図、（ｂ）は、同包装体のＡ−Ａ線断面図、（ｃ）同包装体のＢ−Ｂ線断面図。但し、（ｃ）に於いては、外装箱のみ断面で示し、包装袋は正面図で示している。また、網掛けは、包装袋の強く熱シールされた部分を、薄墨塗りは、包装袋の自動通蒸部を示す（以下、同様）。
【図２】同外装箱の平面図。但し、ラベルを二点鎖線で示す。
【図３】同包装袋の斜視図。
【図４】（ａ）は、第２実施形態に係る電子レンジ加熱用包装体の斜視図、（ｂ）は、同包装体のＣ−Ｃ線に於ける一部省略断面図。
【図５】（ａ）、（ｂ）共に、第３実施形態に係る孔部形成用切込線を示す参考平面図。
【図６】第３実施形態の変形例に係る電子レンジ加熱用包装体の一部省略断面図。
【図７】（ａ）、（ｂ）共に、第４実施形態に係る電子レンジ加熱用包装体の一部省略断面図。但し、図１（ｃ）と同様に、包装袋は正面図で示している。
【図８】（ａ）は、背貼り部が形成された包装袋の斜視図、（ｂ）は、同包装袋のＤ−Ｄ線端面図。但し、（ｂ）では、包装袋内に内容物が充填されていない状態で示している。
【図９】（ａ）は、背貼り部が形成された包装袋の他の実施形態を示す斜視図（但し（包装袋内に内容物が充填されていない状態で示している）、（ｂ）は、外装箱の他の実施形態を示す斜視図。
【図１０】（ａ）、（ｂ）共に、外装箱の他の実施形態を示す斜視図。
【符号の説明】
【００５１】
１…電子レンジ加熱用包装体、２…包装袋、３…外装箱、３１…底面部、３２…上面部、３２１…下方のシート片、３２２…上方のシート片、３３…表面部，裏面部、３４…側面部、３５…角部、３６…分断補助線、３７…摘み部、４…袋本体、４１…袋本体の表面部、４２…袋本体の裏面部、４３…袋本体の底面ガセット部、５…自動通蒸部、６…孔部、６１…孔部形成用切込線、６２…切込線で囲われた領域、７…被覆部材（ラベル，フィルムなど）、８…背貼り部
【図１】
2007091276.tif 000003
【図２】
2007091276.tif 000004
【図３】
2007091276.tif 000005
【図４】
2007091276.tif 000006
【図５】
2007091276.tif 000007
【図６】
2007091276.tif 000008
【図７】
2007091276.tif 000009
【図８】
2007091276.tif 000010
【図９】
2007091276.tif 000011
【図１０】
2007091276.tif 000012